(57)【特許請求の範囲】
【請求項１】
グリップロッド（１０）をケーシング部分（１２）に取り付けるための装置であって、グリップロッド（１０）がディスタンスエレメント（１４，１６）を用いて、ケーシング部分（１２）に対してディスタンスエレメント（１４，１６）の高さによって規定された間隔で保持されてケーシング部分（１２）に取り付けられており、ディスタンスエレメント（１４，１６）が取り付けプレート（２４）を備えており、該取り付けプレートがケーシング部分（１２）に結合されている形式のものにおいて、
ディスタンスエレメントが、ねじ結合部によってケーシング部分（１２）に組み付け可能な保持部分（１４）及びカバー部分（１６）を有しており、保持部分（１４）が、グリップロッド（１０）の受容のためにグリップロッド（１０）の長手方向に延びる切欠き（１８）を備えており、カバー部分（１６）が、保持部分（１４）へのグリップロッド（１０）の締め付け固定のために保持部分（１４）の切欠き（１８）と合致する切欠き（２０）を備えており、保持部分（１４）とカバー部分（１６）とが互いに一緒に、シリンダー形のホルダーを形成しており、前記保持部分（１４）は該保持部分の、ケーシング部分（１２）に向けられた接触面（２２）に、該保持部分（１４）の高さ方向に対して垂直に配置された取り付け部分（２４）を有しており、該取り付け部分（２４）はケーシング部分（１２）の孔（３０）内へのねじ（２８）の貫通のために、グリップロッド（１０）の長手方向に対して垂直に延びる孔（２６）を備えており、さらに前記保持部分（１４）は、該保持部分の高さ方向へ延びる側壁（３２）に、別のねじ（３８）の貫通のためにグリップロッド（１０）の長手方向に対して垂直にかつ前記取り付け部分（２４）の孔（２６）に対して垂直に形成された孔（３４）を有しており、かつ前記カバー部分（１６）は前記別のねじ（３８）の貫通のための、保持部分（１４）の前記孔（３４）と合致する孔（３６）を有しており、カバー部分（１６）の前記孔（３６）と保持部分（１４）の前記孔（３４）との間で、これらの孔（３６，３４）に貫通されている前記別のねじ（３８）にワッシャー（４０）を差し嵌めてあり、該ワッシャーの厚さによってカバー部分（１６）の締め付け力を規定し、ひいてはディスタンスエレメント（１４，１６）内でのグリップロッド（１０）の相対回動可能な支承若しくは相対回動不能な支承を規定するようになっていることを特徴とする、グリップロッドをケーシング部分に取り付けるための装置。
【請求項２】
保持部分（１４）の側壁（３２）の孔（３４）が雌ねじを有しており、該雌ねじ内に、カバー部分（１６）の孔（３６）を通されたねじ（３８）がねじ込まれている請求項１記載の装置。
【請求項３】
カバー部分の孔を通されたねじ（３８）が、カバー部分（１６）の孔（３６）と保持部分（１４）の側壁（３２）の孔（３４）との間のスペース内にワッシャー（４０）を備えており、該ワッシャーの厚さがカバー部分（１６）とグリップロッド（１０）との間の締め付け力を制限している請求項１又は２記載の装置。
【請求項４】
グリップロッド（１０）がカバー部分（１６）と保持部分（１４）との間に相対回動不能に保持されている請求項１から３のいずれか１項記載の装置。
【請求項５】
グリップロッド（１０）がカバー部分（１６）と保持部分（１４）との間に相対回動可能に支承されている請求項１から４のいずれか１項記載の装置。
【請求項６】
保持部分（１４）及び該保持部分と合致するカバー部分（１６）によって形成されたシリンダー形のホルダーが、該ホルダーのシリンダー壁にグリップロッドの長手方向で互いに離間されて環状に形成された複数の溝（４２．１，４２．２，４２．３，４２．４）を有しており、該溝がグリップロッドの長手方向のストッパとしての制限プレート（４４）の受容のために用いられており、制限プレート（４４）の直径が、前記環状の溝（４２．１，４２．２，４２．３，４２．４）の深さによって規定されている請求項１から５のいずれか１項記載の装置。
【請求項７】
保持部分（１４）及び該保持部分と合致するカバー部分（１６）によって形成されたシリンダー形のホルダーの、グリップロッド（１０）によって塞がれていない開口が、プラスチック栓（４６）を備えている請求項１から６のいずれか１項記載の装置。
【請求項８】
グリップロッド（１０）にアタッチメント（４８）が相対回動不能に装着されている請求項１から７のいずれか１項記載の装置。
【請求項９】
アタッチメント（４８）がU字形の結合クリップ（５０．１，５０．２）を有しており、結合クリップがグリップロッド（１０）のための断面円形の受容部を備えている請求項８記載の装置。
【発明の詳細な説明】
【０００１】
【発明の属する技術分野】
本発明は、グリップロッドをケーシング部分に取り付けるための装置であって、グリップロッドがディスタンスエレメントを用いて、ケーシング部分に対してディスタンスエレメントの高さによって規定された間隔で保持されてケーシング部分に取り付けられており、ディスタンスエレメントが取り付けプレートを備えており、該取り付けプレートがケーシング部分に結合されている形式のものに関する。
【０００２】
【従来の技術】
ドイツ連邦共和国実用新案公開第２９５１１４５９Ｕ１号明細書により公知の制御装置においては、制御装置のケーシングのフロントフレームの鉛直な両方の側面にグリップロッド若しくはハンドレバーがそれぞれ２つのスペーサ片を介して装着されている。スペーサ片が止まり穴状の受容部を有しており、該受容部内に、管片若しくは管部材として形成されたグリップロッドが端部区分で以て差し込まれている。公知のこのような取り付け装置においては、グリップロッドの相対回動不能な保持、即ち取り付けが保証され得ない。
【０００３】
【特許文献１】
ドイツ連邦共和国実用新案公開第２９５１１４５９Ｕ１号明細書
【０００４】
【発明が解決しようとする課題】
本発明の課題は、冒頭に述べた形式の取り付け装置を改善して、取り付け装置の組み立てが簡単でかつ、グリップロッドの相対回動可能な取り付け、即ち装着も相対回動不能な取り付けも可能であるようにすることである。さらに、取り付け装置によってグリップロッドをグリップロッドの端部でだけではなく、グリップロッドの中間区分でもケーシング部分に取り付けることができるようにすることである。
【０００５】
【課題を解決するための手段】
前記課題を解決するために本発明に基づく構成では、ディスタンスエレメントが、ねじ結合部によってケーシング部分に組み付け可能な保持部分及び該保持部分と合致するカバー部分を有しており、この場合に保持部分が、グリップロッドの受容のためにグリップロッドの長手方向に延びる切欠きを備えており、カバー部分が、保持部分へのグリップロッドの締め付け固定のために保持部分の前記切欠きと合致する切欠きを備えており、かつ保持部分とカバー部分とによってほぼシリンダー形のホルダー（グリップロッドの受容部が筒状、即ちシリンダー状を成すホルダー）が形成されており、前記保持部分は該保持部分の、ケーシング部分に向けられた接触面に、該保持部分の高さ方向に対して垂直に配置された取り付け部分を有しており、該取り付け部分はケーシング部分の孔内へのねじの貫通のために、グリップロッドの長手方向に対して垂直に延びる孔を備えており、さらに前記保持部分は、該保持部分の高さ方向へ延びる側壁に、別のねじの貫通のためにグリップロッドの長手方向に対して垂直にかつ前記取り付け部分の孔に対して垂直に形成された孔を有しており、かつ前記カバー部分は前記別のねじの貫通のための、保持部分の前記孔と合致する孔を有しており、カバー部分の前記孔と保持部分の前記孔との間で、これらの孔に貫通されている前記別のねじにワッシャーを差し嵌めてあり、該ワッシャーの厚さによってカバー部分の締め付け力を規定し、ひいてはディスタンスエレメント内でのグリップロッドの相対回動可能な支承若しくは相対回動不能な支承を規定するようになっている。
【０００６】
【発明の効果】
構造的に簡単な手段によって、保持部分とカバー部分との間のねじ結合部を介してカバー部分からグリップロッドに生ぜしめられる締め付け力に基づきグリップロッドを相対回動不能に固定することも、相対回動可能に支承することもできる。
【０００９】
有利な形式では、保持部分の高さ方向の側壁の孔に雌ねじが設けられており、該雌ねじ内に、カバー部分の孔を通されたねじがねじ込まれるようになっている。
【００１０】
特に簡単な形式では、グリップロッドの相対回動可能な支承を実施するために、カバー部分の孔を通されたねじが、カバー部分の孔と保持部分の側壁の孔との間のスペース内でワッシャーを備えており、該ワッシャーの厚さがカバー部分とグリップロッドとの間の締め付け力を制限、即ち規定している。これによってワッシャーは、カバー部分がグリップロッドを保持部分内へ相対回動不能に押圧することを確実に阻止するようになっている。
【００１１】
特に有利な実施態様では、保持部分及び該保持部分と合致するカバー部分によって形成されたシリンダー形のホルダーが、該ホルダーのシリンダー壁にグリップロッドの長手方向のストッパとしての制限プレートの受容のためにグリップロッドの長手方向で互いに離間されて環状に形成された複数の溝を有している。これによって、制限プレートが環状の溝の１つに簡単にはめ込まれて、特にグリップロッドの相対回動可能な支承の場合にグリップロッドの長手方向での移動を防止若しくは制限する。制限プレートの直径が環状の溝の深さによって規定されている。
【００１２】
取り付け装置若しくはグリップロッド内への汚れの侵入を防止するために、保持部分及びカバー部分によって形成されたシリンダー形のホルダーの端面の、グリップロッドによって塞がれていない開口が、プラスチック栓を備えている。
【００１３】
さらに別の実施態様として、グリップロッドにアタッチメントを相対回動不能に装着することができ、アタッチメントが簡単な形式では、グリップロッドのための断面円形の受容部を備えたU字形の結合クリップによってグリップロッドに締め付けて、即ちグリップロッドに対して相対回動不能に取り付けられる。
【００１４】
【発明の実施の形態】
図面に本発明の実施例を示してある。図１に、グリップロッド１０をケーシング部分１２に取り付けるための装置（取り付け装置）が分解斜視図で示してある。保持部分１４とカバー部分１６とが、グリップロッド１０の保持のためのディスタンスエレメント(distance element)を形成しており、ディスタンスエレメントの高さによって、グリップロッドとケーシング部分１２との間のディスタンス（間隔）が規定されている。保持部分１４が、グリップロッド１０の受容のためにグリップロッド１０の長手方向に延びる切欠き（凹設部）１８を有している。カバー部分１６が、グリップロッド１０を保持部分１４に締め付け固定するために保持部分の前記切欠きと合致する切欠き（凹設部）２０を有している。保持部分１４が、該保持部分と合致するカバー部分１６と一緒に、ほぼ丸いグリップロッド１０のためのほぼシリンダー形のホルダー（留め具）を形成している。
【００１５】
保持部分１４がねじ結合手段を用いてケーシング部分１２に取り付けられる。このために保持部分１４が、ケーシング部分１２に向けられた接触側２２に、保持部分１４の高さ方向に対して垂直に配置された取り付け部分２４を有しており、これによって、取り付け部分２４を含む保持部分１４は側面で見てほぼＬ字形の形状を成している。取り付け部分２４に、グリップロッド１０の長手方向（延在方向若しくは軸線方向）に対して垂直に、ねじ２８の貫通のための孔２６が設けられている。ねじ２８が、取り付け部分２４の孔２６を通ってケーシング部分１２の、前記孔と合致する孔３０内へ延びている。ねじ２８の端部区分に、締結作用の改善のためにワッシャー３５が差し嵌められて、ねじ２８のための対応片としてナット３３がねじ嵌められる。保持部分１４とケーシング部分１２との間の特に相対回動不能な結合を達成するために、取り付け部分２４がさらに、孔２６を中心として相対する２つの側にケーシング部分１２へ向かって突出する付加部２６．１，２６．２を有しており、付加部がケーシング部分１２の対応する孔３１．１，３１．２内に係合するようになっている。
【００１６】
保持部分１４が、保持部分の高さ方向に延びる側壁３２内に、グリップロッド１０の長手方向に対して垂直にかつ取り付け部分２４の孔２６に対して垂直に形成された孔３４を有している。カバー部分１６が、ねじ３８の貫通のための対応する、即ち保持部分１４の側壁３２の孔３４と合致する孔３６を有している。保持部分１４の側壁３２の孔３４内に雌ねじが設けられており、雌ねじ内に、カバー部分１６の孔３６を通されたねじ３８がねじ込まれる。
【００１７】
ねじ３８が、カバー部分１６と保持部分１４との間の締め付け力を規定し、ひいては、強い締め付け力でグリップロッド１０を相対回動不能に保持するか、若しくはゆるい締め付け力でグリップロッド１０を相対回動可能に支承するかを規定するようになっている。
【００１８】
図１に示す実施例では、カバー部分１６の孔３６と保持部分１４の側壁３２の孔３４との間のスペース内でねじ３８にワッシャー４０が差し嵌められるようになっている。ワッシャー４０の厚さによって、カバー部分１６とグリップロッド１０との間の締め付け力が制限される。保持部分１４とカバー部分１６との間の間隙幅が、ワッシャー４０の厚さによって規定して維持され、従ってグリップロッド１０が相対回動可能に支承されている。
【００１９】
別の実施例では、ワッシャー４０が省略されてよく、その結果、グリップロッド１０が相対回動不能に保持される。
【００２０】
図２は、図１に示す取り付け装置の分解拡大斜視図である。保持部分１４及び対応するカバー部分１６によって形成されたシリンダー形のホルダーが、グリップロッドの長手方向（軸線方向）で互いに離間されてホルダーのシリンダー壁（内周壁）に環状に形成された複数の溝４２．１，４２．２，４２．３，４２．４を有している。溝４２．１，４２．２，４２．３，４２．４が、グリップロッド１０の長手方向に対して垂直に配置された制限プレート４４のための受容部として用いられ、該制限プレート（制限ディスク）が、グリップロッド１０の特に相対回動可能な支承の場合に、グリップロッド１０の長手方向の移動を阻止若しくは制限するようになっている。制限プレート４４の直径が、環状の溝４２．１，４２．２，４２．３，４２．４の深さによって規定されている。制限プレート４４の直径はグリップロッド１０の直径よりも大きくなっている。
【００２１】
別の実施例として、制限プレート４４が省略されて、取り付け装置がグリップロッド１０の中間区分に装着（配置）されてよい。このような配置は、特に長く延びたグリップロッド１０にとって有意義であり、このようなグリップロッドには３つ若しくはそれより多くの取り付け装置が装着されてよい。
【００２２】
保持部分１４及びカバー部分１６によって形成されたシリンダー形のホルダーの端面の、グリップロッド１０によって塞がれていない開口に、プラスチック栓４６が設けられている。
【００２３】
図３は、図１及び図２に示す取り付け装置の概略的な斜視図であり、この場合、グリップロッド１０が端部で取り付けられている。
【００２４】
図４は、同じく取り付け装置の概略的な斜視図であり、この場合、グリップロッド１０にアタッチメント４８を相対回動不能に装着してある。アタッチメント４８は、例えばコピーホルダー、LCD-ディスプレー、附属部品若しくは類似のもの、特に扁平な或いは平面的なアタッチメントである。
【００２５】
アタッチメント４８は、グリップロッド１０のための断面円形の受容部を備えたU字形の２つの結合クリップ５０．１，５０．２によってグリップロッド１０に相対回動不能に装着されている。アタッチメント４８は、グリップロッド１０を該グリップロッドの端部区分で図示の両方の取り付け装置内に相対回動可能に支承することによって旋回させられる。
【図面の簡単な説明】
【図１】本発明に基づく取り付け装置の概略的な分解斜視図。
【図２】図１の取り付け装置の拡大分解斜視図。
【図３】グリップロッドを本発明に基づく取り付け装置によってケーシング部分に取り付けた状態を示す概略的な斜視図。
【図４】本発明に基づく取り付け装置によってケーシング部分に取り付けられたグリップロッドにアタッチメントを装着した状態を示す概略的な斜視図。
【符号の説明】
１０  グリップロッド、  １２  ケーシング部分、  １４  保持部分、  １６カバー部分、  １８，２０  切欠き、  ２２  接触面、  ２４  取り付け部分、  ２６  孔、  ２６．１，２６．２  付加部、  ２８  ねじ、  ３２  側壁、３４  孔、  ３５  ワッシャー、  ３６  孔、  ３８  ねじ、  ４０  ワッシャー、  ４２．１，４２．２，４２．３，４２．４  溝、  ４４  制限プレート、  ４６  プラスチック栓、  ４８  アタッチメント、  ５０．１，５０．２  結合クリップ
【図１】
0003955830.tif 000002
【図２】
0003955830.tif 000003
【図３】
0003955830.tif 000004
【図４】
0003955830.tif 000005